(57)【特許請求の範囲】
【請求項１】
嵌合部を介して複数枚連結することにより広幅の中空パネルを構成するための中空パネル部材であって、略平行に配置された表裏一対のメインパネル部と、該メインパネル部における部材の幅方向の両端の少なくとも一方に設けられた上記嵌合部とを有しており、
上記嵌合部は、同形状のもの同士で嵌合可能な形状を有しており、その断面形状において、部材の厚み方向内方に延びる第一脚部と、該第一脚部よりも部材の面方向外方に位置をずらして上記第一脚部と略平行に上記第一脚部と同方向に延びる第二脚部と、上記第一脚部における部材の面方向内方側の面とのなす角が９０°未満である傾斜連結面部を有するとともに上記一対のメインパネル部の各内面にその両端がそれぞれ連結している傾斜連結片と、脚基端側に配置された上記メインパネル部における部材の幅方向の端部から上記メインパネル部の延長方向に延びる第一延長片とを有しており、上記第一脚部は上記傾斜連結片の上記傾斜連結面部から延びているとともに、上記第二脚部は上記第一延長片から延びており、
連結すべき一対の上記嵌合部のうち、一方の嵌合部における上記第一脚部の先端部と他方の嵌合部における上記第二脚部の先端部とは互いに係止可能な形状に形成されているとともに、一方の嵌合部における上記第二脚部の先端部と他方の嵌合部における上記第一脚部の先端部とは互いに係止可能な形状に形成されていることを特徴とする中空パネル部材。
【請求項２】
請求項１に記載の中空パネル部材において、
上記嵌合部は、上記メインパネル部における部材の幅方向の両端に設けられており、パネル断面において、部材の厚み方向に平行な中心線を軸として線対称となる形状に形成されている、あるいは、パネル断面において、部材の中心を対称点として点対称となる形状に形成されていることを特徴とする中空パネル部材。
【請求項３】
請求項１または２のいずれか１項に記載の中空パネル部材において、
上記第一脚部は、その先端部における部材の面方向内方側の面から部材の面方向内方に向けて形成した第一突起部を有しており、
上記第二脚部は、その先端部における部材の面方向内方側の面から部材の面方向内方に向けて形成した第二突起部を有していることを特徴とする中空パネル部材。
【請求項４】
請求項３に記載の中空パネル部材において、
上記第一突起部は、脚先端側に行くに従って脚の厚みが小さくなるよう傾斜した傾斜先端面を有していることを特徴とする中空パネル部材。
【請求項５】
請求項１〜４のいずれか１項に記載の中空パネル部材において、
上記傾斜連結片は、上記傾斜連結面部における部材の面方向内方側の端部から上記第一脚部と略平行かつ同方向に延びる第一連結面部と、上記傾斜連結面部における部材の面方向外方側の端部から上記第一脚部と略平行かつ反対方向に延びる第二連結面部とを有することを特徴とする中空パネル部材。
【請求項６】
請求項５に記載の中空パネル部材において、
上記第一連結面部および上記第二連結面部の各先端部は、上記一対のメインパネル部の内面にそれぞれ結合していることを特徴とする中空パネル部材。
【請求項７】
請求項５に記載の中空パネル部材において、
上記傾斜連結片は、上記第一連結面部の先端部における部材の面方向内方側の面から部材の面方向内方に延びる段面部を有するとともに、
上記第一延長片は、その先端部から上記メインパネル部の延長方向に延びる第二延長片を有しており、
上記第二延長片は、その先端部における部材の厚み方向内方側の面から部材の厚み方向内方に向けて形成した内向き突起部を有しており、
上記連結すべき一対の上記嵌合部のうち、一方の嵌合部における上記内向き突起部の先端面と他方の嵌合部における上記段面部の外面とが当接可能に構成されているとともに、一方の嵌合部における上記段面部の外面と他方の嵌合部における上記内向き突起部の先端面とが当接可能に構成されていることを特徴とする中空パネル部材。
【請求項８】
請求項７に記載の中空パネル部材において、
上記段面部は、その外面から部材の厚み方向外方に向けて形成した外向き突起部を有しており、
上記連結すべき一対の上記嵌合部のうち、一方の嵌合部における上記外向き突起部の先端面と他方の嵌合部における上記第二延長片の内面とが当接可能に構成されているとともに、一方の嵌合部における上記第二延長片の内面と他方の嵌合部における上記外向き突起部の先端面とが当接可能に構成されていることを特徴とする中空パネル部材。
【請求項９】
請求項７に記載の中空パネル部材において、
上記第二延長片は、上記第二脚部と上記内向き突起部との間における内面から部材の厚み方向内方に向けて形成した中間突起部を有しており、
上記連結すべき一対の上記嵌合部のうち、一方の嵌合部における上記中間突起部の先端面と他方の嵌合部における上記段面部の外面とが当接可能に構成されているとともに、一方の嵌合部における上記段面部の外面と他方の嵌合部における上記中間突起部の先端面とが当接可能に構成されていることを特徴とする中空パネル部材。
【請求項１０】
請求項１〜９のいずれか１項に記載の中空パネル部材を複数枚有し、隣接する中空パネル部材同士の上記嵌合部同士が嵌合されることによって連結されていることを特徴とする中空パネル。
【発明の詳細な説明】
【技術分野】
【０００１】
本発明は、中空パネル部材および中空パネルに関する。
【背景技術】
【０００２】
従来、様々な分野において、金属（合金含む）等からなる中空パネル部材およびこれを複数枚連結して形成した広幅の中空パネルが使用されている。例えば、トラック等の車両の荷台に設けられる背面や側面のドアパネル、アオリ、間仕切り板あるいは天井等の荷台壁には、車両の軽量化のため、アルミニウム合金製の中空パネル部材を複数枚連結した中空パネルが使用されている。この種の中空パネルを構成する単位となる中空パネル部材としては、具体的には、下記の中空パネル部材が公知である。
【０００３】
例えば、特許文献１には、略平行に配された表裏一体のメインパネル部と、メインパネル部の一端に配された凸端部と、他端に配された凹端部を有する中空パネル部材が開示されている。この中空パネル部材同士の連結は、凸端部と凹端部とを互いに部材の面方向にて嵌合させることにより行われる。上記のように、これまでの嵌合構造・嵌合手法は、中空パネル部材を部材の面方向に接近するように移動させて嵌合するものがほとんどである。他にも以下に示すような嵌合構造・嵌合手法も提案されている。
【０００４】
例えば、特許文献２には、一方の側壁に設けられた嵌合部と、他方の側壁に設けられた被嵌合部とを有する中空パネル部材が開示されている。この中空パネル部材において、嵌合部は、一方の側壁から略垂直に突出する第１スライド板および第２スライド板を有している。被嵌合部は、他方の側壁から略垂直に突出する第１ガイド板および第２ガイド板を有している。この中空パネル部材同士の連結は、概略、ガイド板表面に対してスライド板を傾斜させた状態で各スライド板の先端部を各ガイド板表面に当接させ、各ガイド板上にて各スライド板をスライドさせる工程と、スライドさせた各スライド板を各ガイド板に重ね合わせるために上記傾斜角の分だけ回転させる工程とを経て行われる。
【０００５】
また、特許文献３には、パネル連結端の両側壁側に先端側に伸長する係止板および支持板と、係止板の基端側と支持板の基端側とを連結する連結板とを有する中空パネル部材が開示されている。この中空パネル部材において、係止板は、先端側の内側面に形成された係止片を有している。支持板は、基端側の外側面に形成された係止溝部を有している。この中空パネル部材同士の連結は、概略、互いに連結方向と交差する方向に位置をずらして中空パネル部材同士を配置する工程と、上記配置した中空パネル部材同士を部材の面方向に接近するように移動させる工程と、上記接近させた中空パネル部材同士を部材の厚み方向に接近するように移動させ、係止片を係止溝部に係止させる工程とを経て行われる。
【先行技術文献】
【特許文献】
【０００６】
【特許文献１】特許第３７５７２３０号
【特許文献２】特許第４３３０９６９号
【特許文献３】特開２００７−３０２０１３号公報
【発明の概要】
【発明が解決しようとする課題】
【０００７】
しかしながら、凸端部と凹端部と互いに嵌合させる構造は、形状の異なる凸端部と凹端部とを形成する必要がある。また、上記嵌合構造は、嵌合部分の剛性を確保するため凸端部の長さを比較的長く形成する必要がある。そのため、上記嵌合構造は、嵌合部分の断面積が増加し、使用材料が多くなりがちである。また、複数枚の中空パネル部材を嵌合装置にて同時に連結して中空パネルを得るためには、上記嵌合装置は、嵌合部分の寸法にパネル枚数を乗じた分のストロークを必要とする。このようなストロークは、できる限り少ない方が中空パネルの製造上有利である。
【０００８】
また、その他の嵌合構造は、部材の面方向への移動以外に回転を伴ったり、部材の面方向および厚み方向の移動といった２段階の移動を行ったりしなければ、複数の中空パネル部材同士を嵌合させることができない。さらに、ピン等の接合部材も別途必要とする。そのため、これらの嵌合構造は、嵌合方法が複雑になるという問題がある。
【０００９】
本発明は、上記背景に鑑みてなされたものであり、従来に比べ、嵌合部分の材料使用量を削減しやすく、複数枚のパネルを同時嵌合する際のストロークを少なくでき、嵌合方法が簡易な中空パネル部材、また、これを用いた中空パネルを提供しようとして得られたものである。
【課題を解決するための手段】
【００１０】
本発明の一態様は、嵌合部を介して複数枚連結することにより広幅の中空パネルを構成するための中空パネル部材であって、略平行に配置された表裏一対のメインパネル部と、該メインパネル部における部材の幅方向の両端の少なくとも一方に設けられた上記嵌合部とを有しており、
上記嵌合部は、同形状のもの同士で嵌合可能な形状を有しており、その断面形状において、部材の厚み方向内方に延びる第一脚部と、該第一脚部よりも部材の面方向外方に位置をずらして上記第一脚部と略平行に上記第一脚部と同方向に延びる第二脚部と、上記第一脚部における部材の面方向内方側の面とのなす角が９０°未満である傾斜連結面部を有するとともに上記一対のメインパネル部の各内面にその両端がそれぞれ連結している傾斜連結片と、脚基端側に配置された上記メインパネル部における部材の幅方向の端部から上記メインパネル部の延長方向に延びる第一延長片とを有しており、上記第一脚部は上記傾斜連結片の上記傾斜連結面部から延びているとともに、上記第二脚部は上記第一延長片から延びており、
連結すべき一対の上記嵌合部のうち、一方の嵌合部における上記第一脚部の先端部と他方の嵌合部における上記第二脚部の先端部とは互いに係止可能な形状に形成されているとともに、一方の嵌合部における上記第二脚部の先端部と他方の嵌合部における上記第一脚部の先端部とは互いに係止可能な形状に形成されていることを特徴とする中空パネル部材にある（請求項１）。
【００１１】
本発明の他の態様は、上記中空パネル部材を複数枚有し、隣接する中空パネル部材同士の上記嵌合部同士が嵌合されることによって連結されていることを特徴とする中空パネルにある（請求項１０）。
【発明の効果】
【００１２】
上記中空パネル部材は、上記のように、メインパネル部における部材の幅方向の両端の少なくとも一方に嵌合部を備えたものであり、隣り合う中空パネル部材の嵌合部同士を嵌合させることにより連結して広幅の中空パネルを構成する単位になるものである。
【００１３】
そして、上記中空パネル部材は、上記のように、特定構造の嵌合部を有している。そのため、上記中空パネル部材は、嵌合部を介して複数枚連結することにより広幅の中空パネルを構成する場合に、連結すべき一対の嵌合部を、部材の厚み方向において互いの第一脚部および第二脚部の脚側面を対面させて相対移動させることによって嵌合することが可能である。連結すべき一対の嵌合部同士が嵌合した状態では、一方の嵌合部における第一脚部の先端部と他方の嵌合部における第二脚部の先端部とが互いに係止される。また、一方の嵌合部における第二脚部の先端部と他方の嵌合部における第一脚部の先端部とが互いに係止される。
【００１４】
このように、上記中空パネル部材は、連結すべき一対の嵌合部同士が同形状であっても、部材の厚み方向一方向だけの平行移動によって嵌合することができる。そのため、上記中空パネル部材は、異形状の凸端部と凹端部とを嵌合させる従来の中空パネル部材に比べ、嵌合部分の断面積を小さくしやすく、嵌合部分の材料使用量を削減しやすい。また、上記中空パネル部材は、部材の厚み程度のストロークがあれば複数枚のパネルを同時嵌合することができるので、複数枚の中空パネル部材を同時嵌合する際のストロークを少なくすることが可能である。また、上記中空パネル部材は、従来のように、複数の移動を組み合わせることによって中空パネル部材同士を嵌合する必要がないので、嵌合方法も簡易である。
ここで、上記中空パネル部材において、上記嵌合部は、第一脚部における部材の面方向内方側の面とのなす角が９０°未満である傾斜連結面部を有するとともに上記一対のメインパネル部の各内面にその両端がそれぞれ連結している傾斜連結片と、脚基端側に配置されたメインパネル部における部材の幅方向の端部からメインパネル部の延長方向に延びる第一延長片とをさらに有しており、第一脚部は、傾斜連結片の傾斜連結面部から延びており、第二脚部は、第一延長片から延びている構成とされている。
そのため、上記中空パネル部材は、傾斜連結片によって嵌合部の剛性が向上する。また、連結すべき一対の嵌合部のうち、一方の嵌合部の第一脚部における部材の面方向内方側に他方の嵌合部の第二脚部を配し、一方の嵌合部の第二脚部における部材の面方向内方側に他方の嵌合部の第一脚部を配しやすくなる。そのため、上記中空パネル部材は、連結すべき一対の嵌合部を、部材の厚み方向において互いの第一脚部および第二脚部における部材の面方向内方側の面同士を対面させて相対移動させることによって嵌合することが可能となる。それ故、上記中空パネル部材は、連結すべき一対の嵌合部同士の確実な嵌合に寄与することができる。
【００１５】
上記中空パネルは、上記特定構造の嵌合部を有する中空パネル部材を複数枚有し、隣接する中空パネル部材同士の嵌合部同士が嵌合されることによって連結されている。そのため、上記中空パネルは、嵌合部分の材料使用量を削減しやすく、複数枚の中空パネル部材を同時嵌合する際のストロークを少なくでき、嵌合方法も簡易である。
【図面の簡単な説明】
【００１６】
【図１】実施例１における、中空パネル部材の斜視図である。
【図２】実施例１における、中空パネル部材のメインパネル部における部材の幅方向の両端のうちの一方に形成した嵌合部の構造を示す断面図である。
【図３】実施例１における、中空パネル部材のメインパネル部における部材の幅方向の両端のうちの他方に形成した嵌合部の構造を示す断面図である。
【図４】（ａ）は実施例１における、連結すべき一対の嵌合部同士を嵌合させる前の状態を示す説明図、（ｂ）は実施例１における、連結すべき一対の嵌合部同士を嵌合させた状態を示す説明図である。
【図５】実施例２における、中空パネル部材の斜視図である。
【図６】（ａ）は実施例３における、連結すべき一対の嵌合部同士を嵌合させる前の状態を示す説明図、（ｂ）は実施例３における、連結すべき一対の嵌合部同士を嵌合させた状態を示す説明図である。
【図７】（ａ）は実施例４における、連結すべき一対の嵌合部同士を嵌合させる前の状態を示す説明図、（ｂ）は実施例４における、連結すべき一対の嵌合部同士を嵌合させた状態を示す説明図である。
【図８】（ａ）は実施例５における、連結すべき一対の嵌合部同士を嵌合させる前の状態を示す説明図、（ｂ）は実施例５における、連結すべき一対の嵌合部同士を嵌合させた状態を示す説明図である。
【図９】（ａ）は実施例６における、連結すべき一対の嵌合部同士を嵌合させる前の状態を示す説明図、（ｂ）は実施例６における、連結すべき一対の嵌合部同士を嵌合させた状態を示す説明図である。
【図１０】実施例６において、連結すべき一対の嵌合部同士が嵌合した状態で一対の嵌合部に曲げが負荷された場合について説明するための説明図である。
【図１１】（ａ）は実施例７における、連結すべき一対の嵌合部同士を嵌合させる前の状態を示す説明図、（ｂ）は実施例７における、連結すべき一対の嵌合部同士を嵌合させた状態を示す説明図である。
【図１２】実施例７において、連結すべき一対の嵌合部同士が嵌合した状態で一対の嵌合部に曲げが負荷された場合について説明するための説明図である。
【図１３】（ａ）は実施例８における、連結すべき一対の嵌合部同士を嵌合させる前の状態を示す説明図、（ｂ）は実施例８における、連結すべき一対の嵌合部同士を嵌合させた状態を示す説明図である。
【図１４】実施例８において、連結すべき一対の嵌合部同士が嵌合した状態で一対の嵌合部に曲げが負荷された場合について説明するための説明図である。
【発明を実施するための形態】
【００１７】
上記中空パネル部材は、１枚の中空パネル部材において、メインパネル部における部材の幅方向の両端に嵌合部を有する構成、メインパネル部における部材の幅方向の一方の端部にのみ嵌合部を有するが、他方の端部には嵌合部を有しない構成のいずれかをとることができる。前者の構成を有する中空パネル部材は、主に、広幅の中空パネルの中間に配置される中空パネル部材として使用することができる。後者の構成を有する中空パネル部材は、主に、広幅の中空パネルの端部に配置される中空パネル部材として使用することができる。
【００１８】
上記「嵌合部の断面形状」は、部材の幅方向（部材の短手方向）に沿って嵌合部を切断したときの断面形状を意味する。また、上記「連結すべき一対の嵌合部」は、中空パネル部材同士を連結する際における一方の中空パネル部材が有する嵌合部と、連結相手となる他方の中空パネル部材が有する嵌合部とを意味し、互いに対となるものである。
【００１９】
また、上記中空パネル部材の幅方向でみて、部材の厚み方向に平行な中心線の方向側を部材の面方向内方、これと反対の方向側を部材の面方向外方とする。また、上記中空パネル部材の厚み方向でみて、部材の面方向に平行な中心線の方向側を部材の厚み方向内方、これと反対の方向側を部材の厚み方向外方とする。
【００２０】
上記中空パネル部材は、一対のメインパネル部の間に、これらを繋ぐリブを有することができる。これにより、メインパネル部の平面度と面圧強度を高め、中空パネル部材および中空パネル全体の剛性を高めることができる。上記中空パネル部材は、押し出し用のアルミニウム合金素材を用いて、押出成形により製造することができる。なお、上記中空パネル部材は、アルミニウム合金素材以外にも、他の押し出し可能な金属(合金含む)素材やプラスチック素材等によって形成することも可能である。また、一対のメインパネル部の外面間の距離、すなわち、部材の厚みは、例えば、１５〜４０ｍｍ程度とすることができる。
【００２１】
上記中空パネル部材において、嵌合部は、メインパネル部における部材の幅方向の両端に設けられており、パネル断面において、部材の厚み方向に平行な中心線を軸として線対称となる形状に形成することができる（請求項２）。
【００２２】
この場合には、メインパネル部における部材の幅方向の一方の端部に設けられた嵌合部が有する第一脚部および第二脚部と、他方の端部に設けられた嵌合部が有する第一脚部および第二脚部とは、ともに同方向を向く。そのため、複数枚の中空パネル部材を連結する場合には、隣り合う中空パネル部材同士の表裏を互いに反転させて配置することにより、連結すべき一対の嵌合部同士を嵌合させることができる。
【００２３】
また、上記中空パネル部材において、嵌合部は、メインパネル部における部材の幅方向の両端に設けられており、パネル断面において、部材の中心を対称点として点対称となる形状に形成することもできる（請求項２）。
【００２４】
この場合には、メインパネル部における部材の幅方向の一方の端部に設けられた嵌合部が有する第一脚部および第二脚部と、他方の端部に設けられた嵌合部が有する第一脚部および第二脚部とは、互いに反対方向を向く。そのため、複数枚の中空パネル部材を連結する場合には、隣り合う中空パネル部材同士の表裏を互いに同じ向きに配置することにより、連結すべき一対の嵌合部同士を嵌合させることができる。それ故、この場合は、中空パネルのパネル面性状を均一にしやすい利点がある。また、この場合は、複数枚の中空パネル部材を連結する際に、隣り合う中空パネル部材同士の表裏を反転させる必要がない。そのため、この場合は、上記部材の厚み方向に連結すべき嵌合部同士を近接させて嵌合させることが可能なことも相まって、嵌合作業性に優れる利点もある。なお、上記にいう「パネル断面」は、部材の幅方向（部材の短手方向）に沿って切断したときの断面を意味する。
【００２７】
上記中空パネル部材において、第一脚部における部材の面方向内方の面と傾斜連結片の傾斜連結面部との間のなす角は、好ましくは２０°〜７０°程度、より好ましくは２５°〜６５°程度、さらに好ましくは、３０°〜６０°程度に設定するのがよい。上記のなす角の範囲内は、押し出し製造性、嵌合部の断面積の増加抑制効果のバランスに優れるからである。なお、上記のなす角は、後述する図２、図３に示される角αを指す。
【００２８】
上記中空パネル部材において、第一脚部は、その先端部における部材の面方向内方側の面から部材の面方向内方に向けて形成した第一突起部を有し、第二脚部は、その先端部における部材の面方向内方側の面から部材の面方向内方に向けて形成した第二突起部を有する構成とすることができる（請求項３）。
【００２９】
この場合には、連結すべき一対の嵌合部同士が嵌合した状態では、一方の嵌合部における第一脚部の第一突起部と他方の嵌合部における第二脚部の第二突起部とが互いに係止される。また、一方の嵌合部における第二脚部の第二突起部と他方の嵌合部における第一脚部の第一突起部とが互いに係止される。そのため、この場合は、各突起部同士の掛け合わせによって確実な嵌合に寄与することができる。
【００３０】
上記中空パネル部材において、第一突起部は、脚先端側に行くに従って脚の厚みが小さくなるよう傾斜した傾斜先端面を有する構成とすることができる（請求項４）。
【００３１】
この場合には、連結すべき一対の嵌合部同士の嵌合時に、一方の嵌合部における第一突起部の傾斜先端面に他方の嵌合部における第二突起部が当接し、上記傾斜先端面によって第二突起部が案内される。そして、各突起部同士が掛け合わせによって係止される。また、一方の嵌合部における第二突起部が他方の嵌合部における第一突起部の傾斜先端面に当接し、上記傾斜先端面によって第二突起部が案内される。そして、各突起部同士が掛け合わせによって係止される。そのため、この場合は、部材の厚み方向の嵌合作業を滑らかに行うことが可能な中空パネル部材が得られる。
【００３２】
なお、傾斜先端面と部材の厚み方向とのなす角は、好ましくは１０°〜４５°程度、より好ましくは１２°〜３０°程度、さらに好ましくは１５°〜２０°程度に設定するのがよい。上記のなす角の範囲内は、部材の厚み方向の嵌合作業性、掛け合わせによる係止効果のバランスに優れるからである。なお、上記のなす角は、後述する図２および図３に示すように、傾斜先端面と部材の厚み方向との間に形成される先端角βを指す。
【００３３】
上記中空パネル部材において、上記嵌合部における第一脚部と第二脚部との間の距離は、好ましくは５〜４０ｍｍ程度、より好ましくは１０〜１５ｍｍ程度とすることができる。この場合には、連結すべき一対の嵌合部同士が嵌合した状態で一対の嵌合部に曲げが負荷された際に、嵌合箇所がより外れ難くなる利点がある。
【００３４】
上記中空パネル部材において、上記嵌合部の長さは、好ましくは１０〜５０ｍｍ程度、より好ましくは１０〜３０ｍｍ程度とすることができる。この場合には、連結すべき一対の嵌合部同士が嵌合した状態で一対の嵌合部に曲げが負荷された際に、嵌合箇所がより外れ難くなる利点がある。なお、上記嵌合部の長さは、中空パネル部材同士を連結したときに、一方のパネル面に表れる嵌合部による線と、他方のパネル面に表れる嵌合部による線との間の部材の面方向の距離を意味する。
【００３５】
上記中空パネル部材において、傾斜連結片は、傾斜連結面部における部材の面方向内方側の端部から第一脚部と略平行かつ同方向に延びる第一連結面部と、傾斜連結面部における部材の面方向外方側の端部から第一脚部と略平行かつ反対方向に延びる第二連結面部とを有する構成とすることができる（請求項５）。
【００３６】
この場合には、傾斜連結片を有する嵌合部の長さを過度に長くせずに済む。また、この場合は、連結すべき一対の嵌合部同士の嵌合時に、一方の嵌合部における第一脚部および第二脚部と他方の嵌合部における傾斜連結片とが互いに干渉し難くなる。また、この場合は、一方の嵌合部における傾斜連結片と他方の嵌合部における第一脚部および第二脚部とが互いに干渉し難くなる。
【００３７】
上記中空パネル部材において、第一連結面部および第二連結面部の各先端部は、一対のメインパネル部の内面にそれぞれ結合している構成とすることができる（請求項６）。
【００３８】
この場合には、第一連結面部および第二連結面部により、傾斜連結片の両端を一対のメインパネル部の内面に最短距離で連結させることができる。そのため、この場合は、傾斜連結片を有する嵌合部の長さを抑制しやすく、材料使用量の削減に寄与しやすくなる。
【００３９】
上記中空パネル部材において、傾斜連結片は、第一連結面部の先端部における部材の面方向内方側の面から部材の面方向内方に延びる段面部を有するとともに、第一延長片は、その先端部から上記メインパネル部の延長方向に延びる第二延長片を有しており、第二延長片は、その先端部における部材の厚み方向内方側の面から部材の厚み方向内方に向けて形成した内向き突起部を有しており、上記連結すべき一対の上記嵌合部のうち、一方の嵌合部における内向き突起部の先端面と他方の嵌合部における段面部の外面とを当接可能に構成するとともに、一方の嵌合部における段面部の外面と他方の嵌合部における内向き突起部の先端面とを当接可能に構成することができる（請求項７）。
【００４０】
この場合には、連結すべき一対の嵌合部同士が嵌合した状態で一対の嵌合部に曲げが負荷された場合であっても、一方の嵌合部における内向き突起部の先端が、他方の嵌合部における段面部の外面を押さえ込む。また、一方の嵌合部における段面部の外面が、他方の嵌合部における内向き突起部の先端により押さえ込まれる。そのため、嵌合箇所がより外れ難くなり、嵌合部同士の突き当て部分も曲げによって開き難くなる利点がある。
【００４１】
この際、上記段面部は、その外面から部材の厚み方向外方に向けて形成した外向き突起部を有しており、連結すべき一対の嵌合部のうち、一方の嵌合部における外向き突起部の先端面と他方の嵌合部における第二延長片の内面とを当接可能に構成するとともに、一方の嵌合部における第二延長片の内面と他方の嵌合部における外向き突起部の先端面とを当接可能に構成することができる（請求項８）。
【００４２】
この場合には、連結すべき一対の嵌合部同士が嵌合した状態で一対の嵌合部に曲げが負荷された場合であっても、一方の嵌合部における外向き突起部が、他方の嵌合部における第二延長片の内面によって拘束される。また、一方の嵌合部における第二延長片の内面が、他方の嵌合部における外向き突起部を拘束する。そのため、嵌合箇所がより外れ難くなり、嵌合部同士の突き当て部分も曲げによって開き難くなる利点がある。
【００４３】
また、上記以外にも、第二延長片が、第二脚部と内向き突起部との間における内面から部材の厚み方向内方に向けて形成した中間突起部を有しており、連結すべき一対の嵌合部のうち、一方の嵌合部における中間突起部の先端面と他方の嵌合部における段面部の外面とを当接可能に構成するとともに、一方の嵌合部における段面部の外面と他方の嵌合部における中間突起部の先端面とを当接可能に構成することもできる（請求項９）。
【００４４】
この場合には、連結すべき一対の嵌合部同士が嵌合した状態で一対の嵌合部に曲げが負荷された場合であっても、一方の嵌合部における中間突起部が、他方の嵌合部における段面部の外表面によって拘束される。また、一方の嵌合部における段面部の外表面が、他方の嵌合部における中間突起部を拘束する。そのため、嵌合箇所がより外れ難くなり、嵌合部同士の突き当て部分も曲げによって開き難くなる利点がある。なお、上記中間突起部は、第二脚部や内向き突起部と接することなく配置される態様のみならず、第二脚部や内向き突起部と接して配置される態様も含む。また、上記接して配置される態様には、中間突起部が第二脚部と一体化している態様も含まれる。
【００４５】
上記中空パネル部材、上記中空パネルは、トラック等の車両の荷台に設けられる背面や側面のドアパネル、アオリ、間仕切り板あるいは天井等の荷台壁や、建材、テーブルの天板などとして好適に用いることができる。
【実施例】
【００４６】
以下、実施例にかかる中空パネル部材および中空パネルについて、図面を用いて説明する。
（実施例１）
図１〜図４に、本例の中空パネル部材を示す。本例の中空パネル部材１は、嵌合部４（５）を介して複数枚連結することにより広幅の中空パネル６を構成するための中空パネル部材である。本例では、具体的には、中空パネル部材１は、車両の荷台壁として用いられる本例の中空パネル６を形成するためのものである。中空パネル部材１は、アルミニウム合金素材を押出成形することにより製造されている。
【００４７】
中空パネル部材１は、略平行に配置された表裏一対のメインパネル部２、３と、メインパネル部２、３における部材の幅方向の両端の少なくとも一方に設けられた嵌合部４（５）とを有している。本例では、図１に示すように、メインパネル部２、３における部材の幅方向の両端に嵌合部４、５が設けてある。また、メインパネル部２、３の間には、これらをつなぐリブ２３が設けてある。
【００４８】
嵌合部４、５は、図４に示すように、同形状のもの同士で嵌合可能な形状を有している。嵌合部４、５は、図２、図３に示すように、その断面形状において、部材の厚み方向内方に延びる第一脚部４１、５１と、第一脚部４１、５１よりも部材の面方向外方に位置をずらして第一脚部４１、５１と略平行に第一脚部４１、５１と同方向に延びる第二脚部４２、５２とを有している。連結すべき一対の嵌合部４、５（連結すべき一対の嵌合部は、一対の嵌合部４、４、一対の嵌合部５、５の場合もありうるが、本例では、一対の嵌合部４、５の場合について説明する）のうち、一方の嵌合部４における第一脚部４１の先端部と他方の嵌合部５における第二脚部５２の先端部とは互いに係止可能な形状に形成されている。また、連結すべき一対の嵌合部４、５のうち、一方の嵌合部４における第二脚部４２の先端部と他方の嵌合部５における第一脚部５１の先端部とは互いに係止可能な形状に形成されている。以下、本例の中空パネル部材１について詳説する。
【００４９】
本例の中空パネル部材１における嵌合部４、５は、パネル断面において、部材の厚み方向に平行な中心線ＭＬを軸として線対称となる形状に形成されている。
【００５０】
嵌合部４、５は、図２、図３に示すように、傾斜連結片４３、５３と第一延長片４４、５４とを有している。傾斜連結片４３、５３は、第一脚部４１、５１における部材の面方向内方側の面とのなす角αが９０°未満（具体的には、４５°）である傾斜連結面部４３１、５３１を有しており、一対のメインパネル部２、３の各内面にその両端がそれぞれ連結している。傾斜連結片４３、５３は、具体的には、傾斜連結面部４３１、５３１における部材の面方向内方側の端部から第一脚部４１、５１と略平行かつ同方向に延びる第一連結面部４３２、５３２と、傾斜連結面部４３１、５３１における部材の面方向外方側の端部から第一脚部４１、５１と略平行かつ反対方向に延びる第二連結面部４３３、５３３とを有しており、第一連結面部４３２、５３２および第二連結面部４３３、５３３の各先端部が一対のメインパネル部２、３の内面にそれぞれ結合している。
【００５１】
一方、嵌合部４、５の第一延長片４４、５４は、脚基端側に配置されたメインパネル部３における部材の幅方向の端部からメインパネル部３の延長方向に延びている。そして、第一脚部４１、５１は、傾斜連結片４３、５３の傾斜連結面部４３１、５３１から延びており、第二脚部４２、５２は、第一延長片４４、５４から延びている。なお、第一脚部４１、５１の脚先端位置は、第二脚部４２、５２の脚先端位置よりもメインパネル部２に近い位置に配置されている。
【００５２】
第一脚部４１、５１は、その先端部における部材の面方向内方側の面から部材の面方向内方に向けて形成した第一突起部４１１、５１１を有している。第二脚部４２、５２は、その先端部における部材の面方向内方側の面から部材の面方向内方に向けて形成した第二突起部４２１、５２１を有している。本例において、連結すべき一対の嵌合部４、５同士が嵌合した状態では、第一突起部４１１、５１１および第二突起部４２１、５２１が互いに相手側の突起部を乗り越えることによって掛かり合いがなされる。第一突起部４１１、５１１は、脚先端側に行くに従って脚の厚みが小さくなるよう傾斜した傾斜先端面４１２、５１２を有している。傾斜先端面４１２、５１２と部材の厚み方向と間のなす角β（先端角β）は、具体的には、１８°に設定してある。
【００５３】
また、本例の中空パネル部材１は、脚先端側（第一延長片４４、５４が形成されていない側）のメインパネル部２の端部に、メインパネル部２の延長方向に突出する突出部４６、５６を有している。この突出部４６、５６は、連結すべき一対の嵌合部４、５同士を嵌合させる際に、その先端面に第二脚部４２、５２における部材の面方向外方側の面を当接させることにより、部材厚み方向の嵌合動作時における位置決めを容易にするためのものである。
【００５４】
なお、本例の中空パネル部材１において、各メインパネル部２、３の厚みは１．４ｍｍ、第一脚部４１、５１、第二脚部４２、５２の厚みは１．４ｍｍ、部材の厚みは１９ｍｍ、嵌合部４、５の長さは１０ｍｍ、嵌合部４、５の第一脚部４１、５１における部材の面方向外方側の面と第二脚部４２、５２における部材の面方向内方側の面との間の距離は６ｍｍとした。
【００５５】
このような構造の中空パネル部材１を、嵌合部４、５を介して複数枚連結することにより所望の幅寸法を有する中空パネル６を形成することが可能である。以下、複数の中空パネル部材１を嵌合部を介して連結する場合の嵌合動作について説明する。
【００５６】
本例の中空パネル部材１は、メインパネル部２、３における部材の幅方向の両端に嵌合部４、５が設けられており、パネル断面において、部材の厚み方向に平行な中心線ＭＬを軸として線対称となる形状に形成されている。したがって、本例では、隣り合う中空パネル部材１のうち、他方の中空パネル部材１は、一方の中空パネル部材１に対して表裏を反転させた状態で配置される。この際、連結すべき一対の嵌合部４、５同士は、互いに対面するように配置する。なお、上記表裏の反転の仕方により、一対の嵌合部４、４同士を嵌合させることもできるし、一対の嵌合部５、５同士を嵌合させることもできる。
【００５７】
そして、図４（ａ）に示すように、例えば、一方の中空パネル部材１の下方への移動を規制した状態で、連結すべき一対の嵌合部４、５同士が近接するように、他方の中空パネル部材１の嵌合部５を部材の厚み方向に押し込む。そうすると、一方の嵌合部４における第一脚部４１および第二脚部４２と、他方の嵌合部５における第二脚部５２および第一脚部５１とは、互いに部材の面方向内方側の面を対面させつつ、部材の厚み方向に移動する。この際、本例では、互いの第一脚部４１、５１における第一突起部４１１、５１１の傾斜先端面４１２、５１２によって互いの第二脚部５２、４２の第二突起部５２１、４２１が案内される。そして、第一突起部４１１、５１１および第二突起部５２１、４２１が互いの突起部を乗り越え、掛け合わせによって係止がなされる。なお、本例の場合、傾斜先端面４１２、５１２を設けたことにより、部材の厚み方向の嵌合作業を滑らかに行うことができる。このようにして、一方の嵌合部４における第一脚部４１の第一突起部４１１と他方の嵌合部５における第二脚部５２の第二突起部５２１とが互いに確実に係止される。また、一方の嵌合部４における第二脚部４２の第二突起部４２１と他方の嵌合部５における第一脚部５１の第一突起部５１１とが互いに確実に係止される。そして、一方の嵌合部４における第一脚部４１の先端面が他方の嵌合部５における第一延長片５４の内面に当接し、他方の嵌合部５における第一脚部５１の先端面が一方の嵌合部４における第一延長片４４の内面に当接することによって、中空パネル部材１、１はメインパネル部２、３に段差の無い平坦な状態に嵌合される。
【００５８】
上記の中空パネル部材１は、連結すべき一対の嵌合部４、５同士が同形状であっても、部材の厚み方向一方向だけの平行移動によって嵌合することができる。そのため、中空パネル部材１は、異形状の凸端部と凹端部とを嵌合させる従来の中空パネル部材に比べ、嵌合部分の断面積を小さくしやすく、嵌合部分の材料使用量を削減しやすい。また、中空パネル部材１は、部材の厚み程度のストロークがあれば複数枚の中空パネル部材１を同時嵌合することができるので、複数枚の中空パネル部材１を同時嵌合する際のストロークを少なくすることが可能である。また、中空パネル部材１は、従来のように、複数の移動を組み合わせることによって中空パネル部材１同士を嵌合する必要がないので、嵌合方法も簡易である。他にも、中空パネル部材１は、嵌合部４、５が同形状のもの同士で嵌合可能な形状を有しているため、中空パネル部材１の製造時に使用する押し出しダイスの種類削減にも寄与することができる。また、中空パネル部材１は、ピン等の接合部材（嵌合補強部材）が不要である。
【００５９】
本例の中空パネル６は、上記特定構造の嵌合部４、５を有する中空パネル部材１を複数枚有し、隣接する中空パネル部材１同士の嵌合部４、５同士が嵌合されることによって連結されている。また、本例の中空パネル６は、パネル両端に、メインパネル部２、３における部材の幅方向の一方の端部にのみ上記嵌合部４（５）を有するが、他方の端部には上記嵌合部４（５）を有しない構成の中空パネル部材（不図示）が連結されている。
【００６０】
本例の中空パネル６は、本例の中空パネル部材１を用いているので、嵌合部分の材料使用量を削減しやすく、複数枚の中空パネル部材１を同時嵌合する際のストロークを少なくでき、嵌合方法も簡易である。
【００６１】
（実施例２）
図５に示すように、本例の中空パネル部材１および中空パネル６は、その嵌合部４、５が、パネル断面において、部材の中心を対称点ＭＰとして点対称となる形状に形成されている点で実施例１と異なっている。その他の構成は実施例１と同様である。
【００６２】
この場合は、複数枚の中空パネル部材１を連結する際の嵌合部４、５同士の配置は図４と同様である。しかし、この場合は、図４の配置をとるにあたって、隣り合う中空パネル部材１同士の表裏を互いに同じ向きに配置し、連結すべき一対の嵌合部４、５同士を嵌合させることができる。それ故、この場合は、中空パネル６のパネル面性状を均一にしやすい利点がある。また、この場合は、複数枚の中空パネル部材１を連結する際に、隣り合う中空パネル部材１同士の表裏を反転させる必要がない。そのため、この場合は、部材の厚み方向に連結すべき嵌合部４、５同士を近接させて嵌合させることが可能なことも相まって、嵌合作業性に優れる利点もある。その他の作用効果は実施例１と同様である。
【００６３】
（実施例３）
図６に示すように、本例の中空パネル部材１および中空パネル６は、嵌合部４、５の長さを１８ｍｍとした点で実施例１と異なっている。その他の構成は実施例１と同様である。
【００６４】
上記嵌合部４、５の長さの変更は、具体的には、実施例１に対して、第一延長片４４、５４の長さを長くしたり、傾斜連結片４３、５３の傾斜連結面部４３１、５３１の傾斜度合を変更したり、傾斜連結面部４３１、５３１の第一脚部４１、５１よりも外側の部分の長さを長くしたりすることなどによって行うことができる。嵌合部４、５の第一脚部４１、５１における部材の面方向外方側の面と第二脚部４２、５２における部材の面方向内方側の面との間の距離は、１５ｍｍである。また、第一脚部４１、５１における部材の面方向内方側の面と傾斜連結面部４３１、５３１とのなす角αは、７０  °である。
【００６５】
この場合は、実施例１に比べ、嵌合部４、５における第一脚部４１、５１と第二脚部４２、５２との間の距離が大きくなっている。また、実施例１に比べ、嵌合部４、５の長さも長くなっている。そのため、この場合は、連結すべき一対の嵌合部４、５同士が嵌合した状態で一対の嵌合部４、５に曲げが負荷された際に、嵌合箇所がより外れ難くなる利点がある。その他の作用効果は実施例１と同様である。
【００６６】
（実施例４）
図７に示すように、本例の中空パネル部材１および中空パネル６は、実施例１の中空パネル部材１および中空パネル６に比べ、傾斜連結片４３、５３が、第一連結面部４３２、５３２の先端部における部材の面方向内方側の面から部材の面方向内方に延びる段面部４３４、５３４を有している。また、第一延長片４４、５４が、その先端部からメインパネル部３の延長方向に延びる第二延長片４５、５５を有している。この第二延長片４５、５５は、その先端部における部材の厚み方向内方側の面から部材の厚み方向内方に向けて形成した内向き突起部４５１、５５１を有している。
【００６７】
そして、連結すべき一対の嵌合部４、５のうち、一方の嵌合部４における内向き突起部４５１の先端面と他方の嵌合部５における段面部５３４の外面とが当接可能に構成されている。また、連結すべき一対の嵌合部４、５のうち、一方の嵌合部４における段面部４３４の外面と他方の嵌合部５における内向き突起部５５１の先端面とが当接可能に構成されている。
【００６８】
本例では、段面部４３４、５３４における部材の面方向内方側の端部に、部材の厚み方向外方に屈曲する屈曲面部４３５、５３５が形成してある。そして、この屈曲面部４３５、５３５の先端部は、ともにメインパネル部２、２の内面に結合してある。また、第二延長片４５、５５の長さは、連結すべき一対の嵌合部４、５同士が嵌合した状態のときに、互いの第二延長片４５、５５における内向き突起部４５１、５５１の先端面が、互いの屈曲面部５３５、４３５の外面に当接する長さに設定してある。なお、嵌合部４、５の長さは２４ｍｍである。その他の構成は、実施例１と同様である。
【００６９】
この場合には、連結すべき一対の嵌合部４、５同士が嵌合した状態で一対の嵌合部４、５に曲げが負荷された場合であっても、一方の嵌合部４における内向き突起部４５１の先端が、他方の嵌合部５における段面部５３４の外面を押さえ込む。また、一方の嵌合部４における段面部４３４の外面が、他方の嵌合部５における内向き突起部５５１の先端により押さえ込まれる。そのため、嵌合箇所がより外れ難くなり、嵌合部４、５同士の突き当て部分も曲げによって開き難くなる利点がある。その他の作用効果は実施例１と同様である。
【００７０】
（実施例５）
図８に示すように、本例の中空パネル部材１および中空パネル６は、基本的には、実施例４の中空パネル部材１および中空パネル６と同様の構成を有する。但し、本例の中空パネル部材１および中空パネル６は、段面部４３４、５３４が、その外面から部材の厚み方向外方に向けて形成した外向き突起部４３６、５３６を有している点で、実施例４と異なっている。そして、本例の中空パネル部材１および中空パネル６は、連結すべき一対の嵌合部４、５のうち、一方の嵌合部４における外向き突起部４３６の先端面と他方の嵌合部５における第二延長片５５の内面とが当接可能に構成されている。また、本例の中空パネル部材１および中空パネル６は、連結すべき一対の嵌合部４、５のうち、一方の嵌合部４における第二延長片４５の内面と他方の嵌合部５における外向き突起部５３６の先端面とが当接可能に構成されている。なお、本例では、第一連結面部４３２、５３２の延長方向における段面部４３４、５３４の外面に外向き突起部４３６、５３６が配置してある。外向き突起部４３６、５３６は、上記以外の段面部４３４、５３４の外面に配置することも可能である。その他の構成は実施例４と同様である。
【００７１】
この場合には、連結すべき一対の嵌合部４、５同士が嵌合した状態で一対の嵌合部４、５に曲げが負荷された場合であっても、一方の嵌合部４における外向き突起部４３６が、他方の嵌合部５における第二延長片５５の内面によって拘束される。また、一方の嵌合部４における第二延長片４５の内面が、他方の嵌合部５における外向き突起部５３６を拘束する。そのため、嵌合箇所がより外れ難くなり、嵌合部４、５同士の突き当て部分も曲げによって開き難くなる利点がある。その他の作用効果は実施例４と同様である。
【００７２】
（実施例６）
図９に示すように、本例の中空パネル部材１および中空パネル６は、基本的には、実施例４の中空パネル部材１および中空パネル６と同様の構成を有する。但し、本例の中空パネル部材１および中空パネル６は、第二延長片４５、５５が、第二脚部４２、５２と内向き突起部４５１、５５１との間における内面から部材の厚み方向内方に向けて形成した中間突起部４５２、５５２を有している点で、実施例４と異なっている。そして、本例の中空パネル部材１および中空パネル６は、連結すべき一対の嵌合部４、５のうち、一方の嵌合部４における中間突起部４５２の先端面と他方の嵌合部５における段面部５３４の外面とが当接可能に構成されている。また、本例の中空パネル部材１および中空パネル６は、一方の嵌合部４における段面部４３４の外面と他方の嵌合部５における中間突起部５５２の先端面とが当接可能に構成されている。その他の構成は実施例４と同様である。
【００７３】
この場合には、連結すべき一対の嵌合部４、５同士が嵌合した状態で一対の嵌合部４、５に曲げが負荷された場合であっても、一方の嵌合部４における内向き突起部４５１および中間突起部４５２が、他方の嵌合部５における段面部５３４の外面によって拘束される。また、一方の嵌合部４における段面部４３４の外面が、他方の嵌合部５における内向き突起部５５１および中間突起部５５２を拘束する。そのため、嵌合箇所がより外れ難くなり、嵌合部４、５同士の突き当て部分も曲げによって開き難くなる利点がある。その他の作用効果は実施例４と同様である。
【００７４】
ここで、図１０に示すように、本例において、連結すべき一対の嵌合部４、５同士が嵌合した状態で一対の嵌合部４、５に曲げが負荷された場合について詳細に検討する。この場合、一対の嵌合部４、５に曲げＭが負荷されると、一方の中空パネル部材１から他方のパネル部材１に対して、抗力Ｆが作用する。そのため、この抗力Ｆにより、他方の中空パネル部材１における嵌合部５の端部には、曲げＭ’が作用する。それ故、この嵌合部５の断面Ａ（図中、他方の中空パネル部材１の嵌合部５において、第二脚部５２における部材の面方向外方側の面の延長線上に当たる第二延長片５５の基端の断面）に最大せん断力、最大曲げ応力が発生することになる。なお、Ｆ’は抗力Ｆに対する反力であり、このＦ’によって一方の中空パネル部材１の変形が拘束されることになる。つまり、嵌合箇所がより外れ難くなり、嵌合部４、５同士の突き当て部分も曲げによって開き難くなるのである。図１０では、断面Ａから他方の中空パネル部材１の面方向外方（図中右側）へ内向き突起部５５２が移動するほど、曲げＭ’が大きくなる。したがって、内向き突起部５５２（４５２）は、できる限り、中空パネル部材１における部材の面方向内方、つまり、第二脚部５２（４２）側へ寄せて配置することが望ましい。
【００７５】
（実施例７）
図１１に示すように、本例の中空パネル部材１および中空パネル６は、基本的には、実施例６の中空パネル部材１および中空パネル６と同様の構成を有している。但し、本例の中空パネル部材１および中空パネル６は、連結すべき一対の嵌合部４、５同士が嵌合した状態とされたときに、互いの中間突起部４５２、５５２が、互いの第一連結面部５３２、４３２の延長方向とそれぞれ重複するように配置されている点で、実施例６と異なっている。
【００７６】
この場合は、図１２に示すように、反力Ｆ’が第一連結面部４３２（５３２）を圧縮するように作用する。そのため、この場合は、反力Ｆ’が段面部４３４、５３４を圧縮するように作用する実施例６に比べ、段面部４３４、５３４が反力Ｆ’による変形を起こし難くなり有利である。また、Ｍ’が、図１０の場合よりも小さくなるため有利である。
【００７７】
（実施例８）
図１３に示すように、本例の中空パネル部材１および中空パネル６は、基本的には、実施例６の中空パネル部材１および中空パネル６と同様の構成を有している。但し、本例の中空パネル部材１および中空パネル６は、中間突起部４５２、５５２が第二延長片４５、５５の基端に配置されており、第二脚部４２、５２における部材の面方向外方側の面と一体化されている。そして、連結すべき一対の嵌合部４、５同士が嵌合した状態とされたときに、互いの中間突起部４５２、５５２が、互いの第一連結面部５３２、４３２の延長方向とそれぞれ重複する大きさに形成されている。これらの点で実施例６と異なっている。
【００７８】
この場合は、図１４に示すように、断面Ａが大きくなるため、上記曲げＭ’に対して強くなる。つまり、第二延長片５５がより変形し難くなるため、嵌合箇所がより外れ難くなり、嵌合部４、５同士の突き当て部分も曲げによって一層開き難くなる利点がある。
【００７９】
以上、本発明の実施例について詳細に説明したが、本発明は上記実施例に限定されるものではなく、本発明の趣旨を損なわない範囲内で種々の変更が可能である。
【符号の説明】
【００８０】
１  中空パネル部材
２、３  メインパネル部
２３  リブ
４、５  嵌合部
４１、５１  第一脚部
４１１、５１１  第一突起部
４１２、５１２  傾斜先端面
４２、５２  第二脚部
４２１、５２１  第二突起部
４３、５３  傾斜連結片
４３１、５３１  傾斜連結面部
４３２、５３２  第一連結面部
４３３、５３３  第二連結面部
４３４、５３４  段面部
４３５、５３５  屈曲面部
４３６、５３６  外向き突起部  
４４、５４  第一延長片
４５、５５  第二延長片
４５１、５５１  内向き突起部
４５２、５５２  中間突起部
４６、５６  突出部
６  中空パネル
【図１】
0005433056.tif 000002
【図２】
0005433056.tif 000003
【図３】
0005433056.tif 000004
【図４】
0005433056.tif 000005
【図５】
0005433056.tif 000006
【図６】
0005433056.tif 000007
【図７】
0005433056.tif 000008
【図８】
0005433056.tif 000009
【図９】
0005433056.tif 000010
【図１０】
0005433056.tif 000011
【図１１】
0005433056.tif 000012
【図１２】
0005433056.tif 000013
【図１３】
0005433056.tif 000014
【図１４】
0005433056.tif 000015